(57)【要約】【課題】フラット配線材とディスクリート線とが混在する状況下においても、コネクタの数を減らすことにより、ハーネス構成を簡素化し、コネクタの接続工程を削減することができるコネクタを提供する。【解決手段】前記ディスクリート線に電気的に接続されるディスクリート線接続端子と、  前記フラット配線材のそれぞれの導体に電気的に接続される複数のフラット配線材接続端子と、これらを共通に保持する絶縁ハウジングを備えており、絶縁ハウジングは、それぞれの接続端子の相手コネクタと接続される相手側接続端部が同じ側を向く姿勢で保持するように構成する。【選択図】図２
2007220573.tif 000002
【特許請求の範囲】
【請求項１】
導体の周りに絶縁被覆が施されたディスクリート線と複数本の導体が特定方向に配列された状態で一体的に絶縁被覆されたフラット配線材とを共通の相手コネクタに接続するためのコネクタであって、
前記ディスクリート線に電気的に接続されるディスクリート線接続端子と、
前記フラット配線材のそれぞれの導体に電気的に接続される複数のフラット配線材接続端子と、
前記ディスクリート線接続端子及び前記フラット配線材接続端子をそれぞれ共通に保持する絶縁ハウジングと、
を備えており、
前記ディスクリート線接続端子は、一方端部に相手コネクタの端子と接続される相手側接続端部を有しているとともに、他方端部にディスクリート線と接続されるディスクリート線接続端部を有しており、
前記フラット配線材接続端子は、一方端部に相手コネクタの端子と接続される相手側接続端部を有しているとともに、他方端部にフラット配線材と接続されるフラット配線材接続端部を有しており、
前記絶縁ハウジングは、前記ディスクリート線接続端子の前記相手側接続端部と前記フラット配線材接続端子の前記相手側接続端部とが同じ側を向く姿勢で前記ディスクリート線接続端子と前記フラット配線材接続端子とを保持しており、
前記ディスクリート線接続端子の前記相手側接続端部と前記フラット配線材接続端子の前記相手側接続端部とが共通の相手コネクタの端子に嵌合されることを特徴とするコネクタ。
【請求項２】
前記ディスクリート線接続端子の相手側接続端部と前記フラット配線材接続端子の相手側接続端部とは、同形状であることを特徴とする請求項１に記載のコネクタ。
【請求項３】
前記フラット配線材接続端子は、複数のフラット配線材について設けられていることを特徴とする請求項１又は２に記載のコネクタ。
【請求項４】
前記複数のフラット配線材のうち、一のフラット配線材について設けられるフラット配線材接続端子と、他のフラット配線材について設けられるフラット配線材接続端子とは、フラット配線材の導体配列方向と直交する方向の複数段に亘って設けられていることを特徴とする請求項３に記載のコネクタ。
【請求項５】
前記ディスクリート線及び前記フラット配線材が挿入される前記ハウジングの線材挿入部には、前記フラット配線材接続端子に対応する位置に、端子配列方向に延びる形状であってフラット配線材が挿通可能な開口部を有するフラット配線材受入部が形成されており、前記フラット配線材接続端子は前記フラット配線材の導体と前記ハウジング内で接続されていることを特徴とする請求項１〜４のいずれかに記載のコネクタ。
【請求項６】
前記フラット配線材受入部は、前記フラット配線材の抜けを防止するフラット配線材係止片が装着可能に形成されており、このフラット配線材係止片が装着された状態において、前記フラット配線材係止片は、前記フラット配線材の一部に当接することにより、前記線材挿入部側への前記フラット配線材の移動を規制することを特徴とする請求項５に記載のコネクタ。
【請求項７】
前記フラット配線材係止片は、フラット配線材の導体の配列方向と直交する方向に突出する突起部を有しており、前記フラット配線材に設けられた貫通孔に前記突起部が挿通されることにより、前記フラット配線材の抜けを防止することを特徴とする請求項６に記載のコネクタ。
【発明の詳細な説明】
【技術分野】
【０００１】
本発明は、フラットケーブル等のフラット配線材とディスクリート線とを一括して相手コネクタと電気的に接続するためのコネクタに関するものである。
【背景技術】
【０００２】
従来から、例えば自動車に搭載されるオーディオ機器やナビゲーションシステム等の電気モジュールは、フラットケーブル等のフラット配線材やディスクリート線によって接続されている。特に、フラット配線材は、モジュールの側面、あるいは背面に沿って限られた少ないスペースを利用して電線を配索することができる。一方、モジュール同士を離した状態で配置するような場合には、フラット配線材は捻れ等の影響を受けることを考慮すると配線材としてディスクリート線を用いてモジュール同士を接続する方が有利となる。
【０００３】
このように電気モジュール同士を接続する配線材が混在する状況下において、従来では下記特許文献１に示されるように、フラット配線材とディスクリート線のいずれの配線材も使用できるように、フラット配線材用コネクタをそのまま利用して、フラット配線材用コネクタにディスクリート線用コネクタを接続できるようにしたものが開示されている。
【特許文献１】特開２００３−１０９７１０号公報
【発明の開示】
【発明が解決しようとする課題】
【０００４】
しかし、上記特許文献１に開示されたコネクタであっても、相手コネクタに接続できるのは、フラット配線材、ディスクリート線のいずれか一方のみである。したがって、種別の異なる配線材を共通の回路に接続する場合には、フラット配線材用のコネクタ及びディスクリート線用のコネクタをそれぞれ別途用意する必要があるため、コネクタの使用数量及びコネクタの接続工数が増加する問題がある。
【０００５】
本発明は、上記の問題点に鑑みてなされたものであり、フラット配線材とディスクリート線とが混在する状況下においても、コネクタの数を減らすことにより、ハーネス構成を簡素化し、コネクタの接続工程を削減することができるコネクタを提供することを目的としている。
【課題を解決するための手段】
【０００６】
上記課題を解決するために、本発明にかかるコネクタは、導体の周りに絶縁被覆が施されたディスクリート線と複数本の導体が特定方向に配列された状態で一体的に絶縁被覆されたフラット配線材とを共通の相手コネクタに接続するためのコネクタであって、前記ディスクリート線に電気的に接続されるディスクリート線接続端子と、前記フラット配線材のそれぞれの導体に電気的に接続される複数のフラット配線材接続端子と、前記ディスクリート線接続端子及び前記フラット配線材接続端子をそれぞれ共通に保持する絶縁ハウジングと、を備えており、前記ディスクリート線接続端子は、一方端部に相手コネクタの端子と接続される相手側接続端部を有しているとともに、他方端部にディスクリート線と接続されるディスクリート線接続端部を有しており、前記フラット配線材接続端子は、一方端部に相手コネクタの端子と接続される相手側接続端部を有しているとともに、他方端部にフラット配線材と接続されるフラット配線材接続端部を有しており、前記絶縁ハウジングは、前記ディスクリート線接続端子の前記相手側接続端部と前記フラット配線材接続端子の前記相手側接続端部とが同じ側を向く姿勢で前記ディスクリート線接続端子と前記フラット配線材接続端子とを保持しており、前記ディスクリート線接続端子の前記相手側接続端部と前記フラット配線材接続端子の前記相手側接続端部とが共通の相手コネクタの端子に嵌合されることを特徴としている。
【０００７】
上記コネクタによれば、ディスクリート線に接続されるディスクリート線接続端子と、フラット配線材のそれぞれの導体に電気的に接続される複数のフラット配線材接続端子とは、それぞれの相手側接続端部が相手コネクタ側に向く姿勢で前記絶縁ハウジング内に保持されているため、前記相手側接続端子と相手コネクタの端子とが接続されることにより、ディスクリート線とフラット配線材とが相手コネクタの端子と電気的に接続される。すなわち、ディスクリート線とフラット配線材とを一つのコネクタによって相手コネクタと電気的に接続させることができるため、ディスクリート線用コネクタ及びフラット配線材用コネクタをそれぞれ別々に必要であった従来のコネクタに比べて、コネクタ数を減らすことができる。したがって、フラット配線材とディスクリート線とが混在する状況下において、コネクタの数を減らすことにより、ハーネス構成を簡素化し、コネクタの接続工程を削減することができる。
【０００８】
なお、前記ディスクリート線接続端子の相手側接続端部と前記フラット配線材接続端子の相手側接続端部とは、同形状に構成してもよい。
【０００９】
また、複数のフラット配線材とディスクリート線とを相手コネクタに接続するために、前記フラット配線材接続端子は、複数のフラット配線材について設けられる構成としてもよい。
【００１０】
その具体的構成として、前記複数のフラット配線材のうち、一のフラット配線材について設けられるフラット配線材接続端子と、他のフラット配線材について設けられるフラット配線材接続端子とは、フラット配線材の導体配列方向と直交する方向の複数段に亘って設けられる構成としてもよい。
【００１１】
また、前記ディスクリート線及び前記フラット配線材が挿入される前記ハウジングの線材挿入部には、前記フラット配線材接続端子に対応する位置に、端子配列方向に延びる形状であってフラット配線材が挿通可能な開口部を有するフラット配線材受入部が形成されており、前記フラット配線材接続端子は前記フラット配線材の導体と前記ハウジング内で接続されている構成としてもよい。
【００１２】
この構成によれば、フラット配線材をフラット配線材受入部に挿通させて接続することにより、ハウジング内でフラット配線材接続端子とフラット配線材とを接続することができる。したがって、フラット配線材接続端子とフラット配線材との接続部分をハウジングによって保護することができる。
【００１３】
また、前記フラット配線材受入部は、前記フラット配線材の抜けを防止するフラット配線材係止片が装着可能に形成されており、このフラット配線材係止片が装着された状態において、前記フラット配線材係止片は、前記フラット配線材の一部に当接することにより、前記線材挿入部側への前記フラット配線材の移動を規制するように構成するのが好ましい。
【００１４】
この構成によれば、フラット配線材係止片により、フラット配線材の線材挿入部側への移動が規制されるため、フラット配線材がフラット配線材接続端子に接続された状態から抜けることを防止することができる。また、フラット配線材係止片は、フラット配線材受入部に取り付けられた状態でフラット配線材の移動を規制するため、フラット配線材をフラット配線材接続端子に接続した後にフラット配線材係止片を取り付けることにより、フラット配線材係止片がフラット配線材の接続の妨げになることを回避することができる。
【００１５】
また、前記フラット配線材係止片は、フラット配線材の導体の配列方向と直交する方向に突出する突起部を有しており、前記フラット配線材に設けられた貫通孔に前記突起部が挿通されることにより、前記フラット配線材の抜けを防止する構成としてもよい。
【００１６】
この構成によれば、前記突起部が前記フラット配線材に設けられた貫通孔に挿通されているため、フラット配線材が前記ケーブル接続部側に力を受けるとフラット配線材係止片の突起部に引っ掛かることにより、フラット配線材の抜けを容易な構成で有効に防止することができる。
【発明の効果】
【００１７】
本発明のコネクタによれば、フラット配線材とディスクリート線とが混在する状況下においても、コネクタの数を減らすことにより、ハーネス構成を簡素化し、コネクタの接続工程を削減することができる。
【発明を実施するための最良の形態】
【００１８】
本発明の実施の形態について図面を用いて説明する。
【００１９】
図１は、本発明に係るコネクタ１を相手コネクタが接続される側から見た斜視図であり、図２は、本発明に係るコネクタ１をフラット配線材２及びディスクリート線３を挿入する側から見た斜視図、図３は、図２の分解斜視図であり、図４は図２の断面図である。なお、説明の便宜上、本発明に係るコネクタ１において、相手コネクタが接続される側を前側、フラット配線材２、ディスクリート線３が挿入される側を後側とする。
【００２０】
図１〜３において、コネクタ１は、ディスクリート線３と電気的に接続されるディスクリート線接続端子４と、フラット配線材２と電気的に接続されるフラット配線材接続端子５と、これらの端子を共通に保持する絶縁ハウジング６とを備えている。
【００２１】
ここで、ディスクリート線３は、図３に示すように導体３１の周りに絶縁被覆３２が施された線材である。また、フラット配線材２は、複数本の導体２１が特定方向に配列された状態で一体的に絶縁被覆２２が施された線材である。そして、ディスクリート線３及びフラット配線材２における先端部分では、相手コネクタの端子と電気的に接続するために絶縁被覆２２、３２の一部が剥離されており導体２１、３１の一部が露出されている。本実施形態では、１枚のフラット配線材２と複数本のディスクリート線３（１本のみ図示）とが接続される例について説明する。
【００２２】
前記絶縁ハウジング６は、その内部にディスクリート線接続端子４とフラット配線材接続端子５とを幅方向（コネクタ接続方向と直交する方向。左右方向ともいう。）に配列させて保持しており、ハウジング本体７とリテーナ８とを備えている。
【００２３】
ここで、図５はハウジング本体７を示す図であり、図５（ａ）はハウジング本体７を後方から見た正面図、図５（ｂ）は図５（ａ）のＡ−Ａにおける断面図である。図２〜図５に示すように、このハウジング本体７は、ほぼ直方体の形状を有しており、相手コネクタに接続される前端部７１と、この前端部７１と反対側の位置にディスクリート線３及びフラット配線材２が挿入される後端部７２（線材挿入部）とを有している。また、ハウジング本体７の内部には、前後方向に延びる底壁７３ａ（図５（ｂ）参照）とこの底壁７３ａと直交する隔壁７３ｂにより複数の端子収納室７３が形成されている。
【００２４】
この端子収納室７３は、ハウジング本体７の幅方向に配列されており、上下方向に複数段（本実施形態では２段）形成されている。そして、端子収納室７３には、後述するディスクリート線３と接続されるディスクリート線接続端子４と、フラット配線材２と接続されるフラット配線材接続端子５とが収納されている。具体的には、フラット配線材２が接続される個所には、そのフラット配線材２の導体２１の数に対応する数のフラット配線材接続端子５が、ハウジング本体７の幅方向に連続するように収納されており、その他の端子収納室７３には、ディスクリート線接続端子４が収納されている。そして、ディスクリート線接続端子４及びフラット配線材接続端子５は、後述するそれぞれの相手側接続端部４１，５１を前端部７１に向く姿勢で収納されている。
【００２５】
また、フラット配線材接続端子５を収納する端子収納室７３の隔壁７３ｂには、前方に延びるスリット７３ｃが形成されている（図５（ｂ）参照）。このスリット７３ｃは、フラット配線材２をガイドするものであり、フラット配線材２がこのスリット７３ｃに挿入されることにより、フラット配線材２の先端部分がフラット配線材接続端子５の所定位置に誘導されるようになっている。
【００２６】
また、端子収納室７３は、その前側部分（図４において左側部分）における底面部７３ｄに、底面部７３ｄの一部を上方に突出させて形成された端子係止部７３ｅを有している。この端子係止部７３ｅが、後述のディスクリート線接続端子４、フラット配線材接続端子５の一部と係合することにより、ディスクリート線接続端子４、フラット配線材接続端子５のそれぞれが端子収納室７３から抜けるのを防止できるようになっている。
【００２７】
また、ハウジング本体７の前端部７１は、相手コネクタと嵌合する形状を有しており、その前端面７１ａには、相手コネクタの端子が挿入される相手側端子挿入孔７１ｂが並んで形成されている。すなわち、相手側端子挿入孔７１ｂは、前記端子収納部と対応する位置に配置されており、それぞれ端子収納部に連通するように形成されている。そして、相手側端子挿入孔７１ｂは、それぞれ同形状に形成されている。
【００２８】
前記後端部７２（線材挿入部）の後端面７２ａには、ディスクリート線接続端子４を収納する端子収納室７３が開口しているとともに、フラット配線材２が挿入されるフラット配線材受入部７４が形成されている。
【００２９】
このフラット配線材受入部７４は、図３、図５に示すように、ハウジング本体７の後端面７２ａに開口する開口部７４ａを有しており、この開口部７４ａは、端子配列方向に延びフラット配線材２が挿通可能な形状を有している。この開口部７４ａの前方側には、開口部７４ａの左右寸法よりも大きく切り欠かれた切欠部７４ｂが開口部７４ａと連続して形成されており、この切欠部７４ｂにフラット配線材２の接続端子を収納する端子収納室７３が連通形成されている（図５参照）。すなわち、開口部７４ａから挿通されたフラット配線材２は、切欠部７４ｂを通じて端子収納室７３に挿入され、フラット配線材２はハウジング本体７内で接続される。また、開口部７４ａと切欠部７４ｂとは、ハウジング本体７の底面側に開口して形成されており、この開口部７４ａと切欠部７４ｂとにフラット配線材係止片９がハウジング本体７の底面側から嵌合するようになっている。
【００３０】
また、フラット配線材受入部７４には、フラット配線材係止片９が取り付けられている。このフラット配線材係止片９は、フラット配線材２を支持するとともに、フラット配線材２の抜けを防止するものであり、フラット配線材２を支持する支持部９１を有している。ここで、図６（ａ）は、フラット配線材係止片９の平面図、図６（ｂ）は正面図である。
【００３１】
前記支持部９１は、フラット配線材２を支持する平坦状の支持面９１ａを有しており、この支持面９１ａによりフラット配線材２を下面側から支持するようになっている。そして、この支持部９１の前方に位置する先端部９１ｂと後方に位置する後端部９１ｃとは、フラット配線材受入部７４の開口部７４ａよりも端子配列方向（左右方向）に長尺となるように形成されており、先端部９１ｂと後端部９１ｃとの間に位置する中間部９１ｄは端子配列方向に括れて形成されている。すなわち、この先端部９１ｂがフラット配線材受入部７４の切欠部７４ｂと嵌合し、中間部９１ｄがフラット配線材受入部７４の開口部７４ａと嵌合するように形成されている。また、中間部９１ｄの側面には、凸部９２が形成されている。この凸部９２は、フラット配線材受入部７４の開口部７４ａを形成する開口部壁７４ｄに形成された凹部７４ｃと係合するようになっている。したがって、凸部９２と凹部７４ｃとが係合することにより、フラット配線材係止片９がフラット配線材受入部７４に係止されるようになっている。
【００３２】
また、支持部９１の後端部９１ｃは、支持面９１ａから直交する方向、すなわち上方に延びるように形成され、端子配列方向に延びるスリット部９３が支持面９１ａに沿うように形成されている。このスリット部９３は、一側面側に開口しており、この開口部分からフラット配線材２が挿入可能になっている。すなわち、このスリット部９３からフラット配線材２を挿入することにより、フラット配線材２がガイドされ支持面９１ａ上に配置されるようになっている。
【００３３】
また、前記支持面９１ａには、上方に突出する突起部９４が形成されており、この突起部９４がフラット配線材２に設けられた貫通孔２３に挿通されるようになっている。
【００３４】
このようなフラット配線材係止片９がフラット配線材受入部７４に取り付けられた状態では、支持部９１の先端部９１ｂ及び後端部９１ｃが、フラット配線材受入部７４における開口部７４ａよりも端子配列方向に延びているため、支持部９１の先端部９１ｂ及び後端部９１ｃが、開口部７４ａの開口部壁７４ｄに当接することにより、フラット配線材係止片９の前後方向への動きは規制される。したがって、フラット配線材２の貫通孔２３に突起部９４が挿通された状態では、フラット配線材係止片９の突起部９４がフラット配線材２の貫通孔２３を形成する部分に当接することにより、フラット配線材２のハウジング本体７の後端部７２側への移動は規制される。すなわち、フラット配線材係止片９により、フラット配線材２の抜けを防止することができる。
【００３５】
また、ハウジング本体７には、コネクタ接続方向のほぼ中央部分にディスクリート線接続端子４の抜けを防止するリテーナ８が取り付けられている。ここで、図７はリテーナ８を示す図であり、図７（ａ）はリテーナ８の正面図、（ｂ）は、（ａ）におけるＡ−Ａ断面図である。このリテーナ８は、端子配列方向に延びる形状の本体部８１と、この本体部８１の端子配列方向両端部に配置され上方に延びる側壁部８２とを有しており、ハウジング本体７に底面側から嵌合装着できるようになっている。
【００３６】
前記本体部８１には、前後方向に開口する複数の挿通室８３が端子配列方向に一列に配列した状態で設けられている。そして、リテーナ８がハウジング本体７に取り付けられた状態では、これらの挿通室８３とハウジング本体７の下段側の各端子収納室７３とが対応して連通するようになっている。具体的には、挿通室８３は、ハウジング本体７の底面の一部を形成する底壁部８３ａとこの底壁部８３ａと直交する障壁部８３ｂとこの障壁部８３ｂと直交し底壁部８３ａと平行に形成される上壁部８３ｃとを有しており、リテーナ８が取り付けられた状態では、底壁部８３ａ及び障壁部８３ｂは、それぞれ端子収納部の底壁７３ａと隔壁７３ｂとほぼ一致するようになっており、挿通室８３の上壁部８３ｃは、上段側の端子収納室７３内に突出するようになっている。すなわち、リテーナ８の挿通室８３の高さ寸法は、端子収納室７３（下段側）の高さ寸法よりも大きく形成されている。
【００３７】
また、挿通室８３の上壁部８３ｃにおける端子収納室７３（上段側）側表面と、挿通室８３の底壁部８３ａにおけるディスクリート線接続端子４を収納する端子収納室７３（下段側）側表面には、その表面から上方に突出する係止凸部８４が形成されている。すなわち、リテーナ８がハウジング本体７に取り付けられた状態では、図４に示すように、係止凸部８４が端子収納室７３側に突出するようになっているため、ディスクリート線３が引張られたり、あるいは、コネクタ１が相手コネクタに接続されることによりディスクリート線接続端子４がハウジング本体７の後端部７２側に力を受けると、ディスクリート線接続端子４が係止凸部８４に当接することによりディスクリート線接続端子４の前記後端部７２側への移動が規制されるため、ディスクリート線接続端子４の抜けが防止できるようになっている。
【００３８】
また、リテーナ８の側壁部８２の内側には係合凹部８２ａが形成されており、この係合凹部８２ａが図３に示すハウジング本体７の側面に形成された係合凸部７５と係合することによって、リテーナ８はハウジング本体７に係止されるようになっている。具体的には、ハウジング本体７の係合凸部７５は、上下方向に突起７５ａが２個所形成されており、それぞれの係合凸部７５がリテーナ８の係合凹部８２ａに係止できるようになっている。そして、下側の係合凸部７５の突起７５ａとリテーナ８の係合凹部８２ａとが係合すると、リテーナ８の係止凸部８４が、上段側、下段側の端子収納室７３の底壁７３ａ表面よりも下側に位置する状態でセットされるようになっている。すなわち、係止凸部８４がディスクリート線接続端子４に当接することなく、ディスクリート線接続端子４は端子収納室７３内を前後方向に移動可能となる。本実施形態では、このリテーナ８の組付け位置を仮組付け位置とする。
【００３９】
また、ハウジング本体７における上側の係合凸部７５の突起７５ｂとリテーナ８の係合凹部８２ａとが係合すると、リテーナ８の係止凸部８４がディスクリート線接続端子４を収納する端子収納室７３内に突出する位置にセットされ、上述したようにディスクリート線接続端子４の前後方向への移動が規制される。本実施形態では、このリテーナ８の組付け位置を本組付け位置とする。
【００４０】
前記ディスクリート線接続端子４は、ディスクリート線３と相手コネクタの端子とを電気的に接続させるものである。このディスクリート線接続端子４は、一軸方向に延びる形状を有しており、一方端部には、相手コネクタの端子と接続される相手側接続端部４１と、他方端部には、ディスクリート線３と接続されるディスクリート線接続端部４２とを有している。そして、本実施形態においては、相手側接続端部４１は雌型の端子として構成されている。
【００４１】
前記ディスクリート線接続端部４２は、ディスクリート線３を支持する板状のディスクリート線支持部４２ａと、この支持部４２ａの両端部から一方向に延びて曲げ変形可能な圧着部４２ｂとを有している。そして、ディスクリート線３を接続する場合には、ディスクリート線支持部４２ａにディスクリート線３を沿わせた状態で、圧着部４２ｂをディスクリート線３の導体２１と接触させるように曲げ変形させて圧着させることによりディスクリート線３とディスクリート線接続端子４とを電気的に接続できるようになっている。
【００４２】
また、前記相手側接続端部４１は、板材を折り曲げることにより、その断面がほぼ方形の筒状に形成されている。この相手側接続端部４１は、端子収納室７３の底面部７３ｄと対面する下面壁４１ａと下面壁４１ａの反対側に位置する上面壁４１ｂとを有している。そして、相手側接続端部４１は、その後端部分４１ｃで前記ディスクリート線接続端部４２と連結されている。すなわち、図４に示すように相手側接続端部４１は、ディスクリート線接続端部４２よりもハウジング本体７底面側（下側）に張り出すように形成されている。したがって、ディスクリート線接続端部４２の後端部分４１ｃは、後方側（図４では右側）に力を受けるとリテーナ８の係止凸部８４と当接することにより、ディスクリート線接続端子４の移動が規制されるようになっている。
【００４３】
また、前記相手側接続端部４１の前端面には、相手コネクタの端子を軸方向に挿入可能な挿入部４１ｄを有している。また、相手側接続端部４１の上面壁４１ｂには、相手側接続端部４１の内部側に突出する舌片４３が上面壁４１ｂの一部を内部側（図４では下側）に曲げることにより形成され、この舌片４３は上下方向に弾性変形可能となっている。また相手側接続端部４１の下面壁４１ａには、前記舌片４３と対応する位置に内部側（図４では上側）に凸となる当接面４４が形成されている。すなわち、相手コネクタの端子が挿入部４１ｄから挿入されると、相手コネクタの端子は、この舌片４３と当接面４４とによって圧接されることにより、相手コネクタの端子とディスクリート線接続端子４とが電気的に接続されるようになっている。
【００４４】
また、前記相手側接続端部４１の下面壁４１ａには、下面壁４１ａの一部が外側（図４において下側）に突出する係止部４５が形成されている。この係止部４５は、上記絶縁ハウジング６の端子係止部７３ｅと引っ掛かることにより、ディスクリート線接続端子４の線材挿入部側（図４では右側）への移動が規制されるようになっている。
【００４５】
前記フラット配線材接続端子５は、フラット配線材２と相手コネクタの端子とを電気的に接続させるものである。このフラット配線材接続端子５は、一軸方向に延びる形状を有しており、一方端部に相手コネクタの端子と接続される相手側接続端部５１と、フラット配線材２の導体２１と接続されるフラット配線材接続端部５２とを有している。なお、本実施形態においては、相手側接続端部５１、フラット配線材接続端部５２共に雌型の端子として構成されている。
【００４６】
前記フラット配線材接続端部５２は、板材を折り曲げることによりその断面がほぼ方形の筒状となるように形成されている。このフラット配線材接続端部５２は、端子収納室７３の底面部７３ｄと対面する下面壁５２ａと下面壁５２ａの反対側に位置する上面壁５２ｂとこれらと直交する側面壁５２ｃとを有している。そして、フラット配線材接続端部５２は、そのフラット配線材２の挿入側には、フラット配線材２を挿入可能な挿入口５２ｄを有している。
【００４７】
また、フラット配線材接続端部５２の側面壁５２ｃには、この挿入口５２ｄ側に開口し前後方向に延びるスリット状の切込部５３が形成されており、この切込部５３にフラット配線材２が挿入可能になっている。また、この切込部５３は、フラット配線材接続端子５が端子収納室７３に収納された状態で端子収納室７３の隔壁７３ｂに形成されたスリット７３ｃとほぼ同じ高さ位置になるように形成されている。したがって、フラット配線材接続端子５が端子収納室７３に収納された状態であっても、フラット配線材２が挿入口５２ｄから挿入されると、この切込部５３に沿ってフラット配線材接続端部５２の内部までフラット配線材２が挿入できるようになっている。
【００４８】
また、フラット配線材接続端部５２の上面壁５２ｂには、上面壁５２ｂの一部を内部側（図４では下側）に曲げることによりフラット配線材接続端部５２の内部側に突出する舌片５４が形成されており、この舌片５４は、上下方向に弾性変形可能となっている。またフラット配線材接続端部５２の下面壁５２ａには、前記舌片５４と対応する位置に内部側（図４では上側）に突出する波形当接面５５が形成されている。したがって、フラット配線材２が挿入部５１ｄから挿入されると、前記舌片５４と波形当接面５５とによってフラット配線材２の導体２１が圧接されることにより、フラット配線材２とフラット配線材接続端子５とが電気的に接続されるようになっている。
【００４９】
また、フラット配線材接続端子５における相手側接続端部５１は、上述のディスクリート線接続端子４における相手側接続端部５１と同様の構成である。具体的には、フラット配線材接続端子５における相手側接続端部５１は、板材を折り曲げることによりその断面がほぼ方形の筒状に形成されている。この相手側接続端部５１は、端子収納室７３の底面部７３ｄと対面する下面壁５１ａと下面壁５１ａの反対側に位置する上面壁５１ｂとを有している。そして、相手側接続端部５１は、その前端面に、相手コネクタの端子を軸方向に挿入可能な挿入部５１ｄを有している。また、相手側接続端部５１の上面壁５１ｂには、相手側接続部の内部側に突出する舌片５６が上面壁５１ｂの一部を内部側（図４では下側）に曲げることにより形成され、この舌片５６は上下方向に弾性変形可能となっている。また相手側接続端部５１の下面壁５１ａには、前記舌片５６と対応する位置に内部側（図４では上側）に凸となる当接面５７が形成されている。すなわち、相手コネクタの端子が挿入部５１ｄから挿入されると、この舌片５６と当接面５７とによって圧接されることにより、相手コネクタの端子とディスクリート線接続端子４とが電気的に接続されるようになっている。
【００５０】
前記相手側接続端部５１の下面壁５１ａには、下面壁５１ａの一部が外側（図４において下側）に突出する係止部５８が形成されている。この係止部５８は、上記絶縁ハウジング６の端子係止部７３ｅと引っ掛かることにより、ディスクリート線接続端子４の線材挿入部側（図４では右側）への移動が規制されるようになっている。
【００５１】
次に、上記実施形態におけるコネクタ１の組立てについて説明する。
【００５２】
組立て前の準備として、ディスクリート線３及びフラット配線材２それぞれの先端部分において導体２１、３１を露出させる。すなわち、ディスクリート線３の先端部分における絶縁被覆３２を除去することにより導体３１を露出させ、フラット配線材２の絶縁被覆２２を除去することにより片面側で導体２１を露出させる。また、フラット配線材２には、貫通孔２３を設けておく。この際、貫通孔２３を設ける部分については適宜補強板等を取り付けてもよい。
【００５３】
まず、ハウジング本体７にリテーナ８を仮組み付け位置に組み付ける。このとき、ハウジング本体７の端子収納室７３内にはリテーナ８の係止凸部８４が突出しておらず、それぞれの端子収納室７３にディスクリート線接続端子４、フラット配線材接続端子５が挿通可能な状態となっている。
【００５４】
次に、ディスクリート線接続端子４のディスクリート線接続端部４２にディスクリート線３を圧着させ、このディスクリート線接続端子４をその相手側接続端部４１から所定のハウジング本体７の端子収納室７３に挿入する。また、これと同時にフラット配線材接続端子５についても、その相手側接続端部５１から所定の端子収納室７３に挿入する。すなわち、それぞれの接続端子４，５の相手側接続端部４１，５１がハウジング本体７の前端部７１側に向くように挿入する。このとき、ディスクリート線接続端子４及びフラット配線材接続端子５が端子収納室７３に挿入されると、それぞれの接続端子４，５の相手側接続端部４１、５１が端子収納室７３の端子係止部７３ｅに当接するが、さらに押圧することにより、この端子係止部７３ｅが下向きに弾性変形するため、それぞれの接続端子は端子収納室７３の相手コネクタ接続部側まで挿入される。このように、ディスクリート線接続端子４及びフラット配線材接続端子５がこの位置まで挿入されると、端子係止部７３ｅが元の姿勢に復元することにより両接続端子の係止部４５、５８と係合するため、それぞれの接続端子４，５の線材挿入部側への移動が規制される。
【００５５】
そして、すべての端子収納室７３での接続端子４，５の収納が完了した後、リテーナ８を本組付け位置に組み付ける。これにより、ディスクリート線接続端子４が収納される端子収納室７３内に係止凸部８４が突出することにより、ディスクリート線接続端子４の線材挿入部側への移動が確実に規制される。
【００５６】
次に、フラット配線材２を端子収納室７３内のフラット配線材接続端子５に接続する。具体的には、フラット配線材受入部７４のハウジング本体７の後側からフラット配線材２を挿入する。そして、フラット配線材２の各導体２１がフラット配線材接続端部５２と対応するようにフラット配線材２を配置し、フラット配線材２の先端部分を端子収納室７３のスリット７３ｃに挿入する。さらにフラット配線材２を挿入すると、フラット配線材２の先端部分は、このスリット７３ｃによりフラット配線材接続端部５２の挿入口５２ｄに誘導され、フラット配線材接続端部５２の切込部５３に挿入される。この切込部５３に沿ってフラット配線材２が挿入されると舌片５６に当接するが、さらにフラット配線材２を挿入方向に押圧することにより、フラット配線材２は、舌片５６を上方に弾性変形させながら舌片５６と波形当接面５５との間に挿入される。これにより、フラット配線材２の導体２１が舌片５６と波形当接面５５とによって圧接され、フラット配線材２とフラット配線材接続端子５とが電気的に接続される。
【００５７】
次に、ハウジング本体７にフラット配線材係止片９を取り付ける。具体的には、フラット配線材係止片９のスリット部９３にフラット配線材２を挿入し、フラット配線材２を撓ませながらフラット配線材係止片９をハウジング本体７の下面側からフラット配線材受入部７４に組み付けを行う。すなわち、フラット配線材係止片９の突起部９４をフラット配線材２の貫通孔２３に貫通させた状態で、フラット配線材係止片９の側面の凸部９２をフラット配線材受入部７４の開口部７４ａに形成された凹部７４ｃに係合させることにより、フラット配線材係止片９をフラット配線材受入部７４に組付ける。
【００５８】
このように、上記実施形態におけるコネクタ１によれば、共通の絶縁ハウジング６内にディスクリート線接続端子４及びフラット配線材接続端子５が、それぞれの相手側接続端部４１、５１が相手コネクタ側に向く姿勢で保持されているため、前記相手側接続端子４１，５１と相手コネクタの端子とが接続されることにより、ディスクリート線３とフラット配線材２とが相手コネクタの端子と電気的に接続される。すなわち、ディスクリート線３とフラット配線材２とを一つのコネクタ１によって相手コネクタと電気的に接続させることができるため、ディスクリート線用コネクタ及びフラット配線材用コネクタをそれぞれ別々に必要であった従来のコネクタに比べて、コネクタ数を減らすことができる。
【００５９】
したがって、フラット配線材２とディスクリート線３とが混在する状況下において、コネクタの数を減らすことにより、ハーネス構成を簡素化し、コネクタの接続工程を削減することができるという効果がある。
【００６０】
また、上記実施形態では、１枚のフラット配線材２を接続する場合について説明したが、複数枚のフラット配線材２を接続するものであってもよい。具体的には、複数枚のフラット配線材２をハウジング本体７の幅方向に並列に設けるものであってもよく、フラット配線材２の導体２１の配列方向と直交する方向の複数段に亘って設けるものであってもよい。
【００６１】
また、上記実施形態では、ディスクリート線接続端子４及び、フラット配線材接続端子５の相手側接続端部４１、５１を雌型の端子とした場合について説明したが、相手側接続端部４１、５１を雄型の端子として構成してもよい。
【００６２】
また、上記実施形態では、リテーナ８を設ける例について説明したが、これを使用せず、ディスクリート線接続端子４の抜けを端子係止部７３ｅにより防止するものであってもよい。
【図面の簡単な説明】
【００６３】
【図１】本発明に係るコネクタを前方側から見た斜視図である。
【図２】本発明に係るコネクタを後方側から見た斜視図である。
【図３】図２におけるコネクタの分解斜視図である。
【図４】図２におけるコネクタの断面図である。
【図５】ハウジング本体を示す図であり、（ａ）はハウジング本体を後方から見た正面図、（ｂ）は（ａ）のＡ−Ａにおける断面図。
【図６】フラット配線材係止片を示す図であり、（ａ）はその平面図、（ｂ）はその正面図である。
【図７】リテーナを示す図であり、（ａ）はその正面図、（ｂ）は（ａ）のＡ−Ａにおける断面図である。
【符号の説明】
【００６４】
１  コネクタ
２  フラット配線材
３  ディスクリート線
４  ディスクリート線接続端子
５  フラット配線材接続端子
６  絶縁ハウジング
７  ハウジング本体
８  リテーナ
９  フラット配線材係止片
４１  相手側接続端部
４２  ディスクリート線接続端部
５１  相手側接続端部
５２  フラット配線材接続端部
【図１】
2007220573.tif 000003
【図２】
2007220573.tif 000004
【図３】
2007220573.tif 000005
【図４】
2007220573.tif 000006
【図５】
2007220573.tif 000007
【図６】
2007220573.tif 000008
【図７】
2007220573.tif 000009